(57)【要約】【課題】ユーザのログアウトを意識した操作を必要とすることなく、第三者による装置の使用を抑制する手段を提供する。【解決手段】端末装置は、画像形成装置の認証に成功すると、装着しているユーザに関するユーザ情報を画像形成装置に送信し、画像形成装置は、ユーザ情報に基づく本人認証に成功するとユーザの入力操作を可能とするログイン状態とし、端末装置は、ログイン状態の画像形成装置の画像を検出できなくなると、画像形成装置にログアウト要求を送信し、画像形成装置は、ログアウト要求を受信すると、その時点におけるユーザによる入力操作の進行状態を記憶部に記憶するとともに、操作部におけるユーザの新たな入力操作を規制する入力規制状態に移行する。【選択図】        図１
2020191608.tif 000002
【特許請求の範囲】
【請求項１】
ユーザの入力操作を受け付ける操作部と、
外部から入力されたユーザ情報に基づいて本人認証を行う認証処理部と、
を有し、
前記認証処理部が前記ユーザ情報に基づく本人認証に成功するとユーザの入力操作を可能とするログイン状態とし、
外部からログアウト要求が入力されると、その時点におけるユーザによる入力操作の進行状態を記憶部に記憶するとともに、前記操作部におけるユーザの新たな入力操作を規制する入力規制状態に移行することを特徴とする画像形成装置。
【請求項２】
ユーザの身体に装着可能な端末装置と、前記端末装置と通信可能な画像形成装置とを有する認証処理システムであって、
前記端末装置は、
前記画像形成装置との間で通信を行う通信部と、
前記画像形成装置の画像を検出する検出部と、
前記検出部が検出した前記画像形成装置の画像に基づいて前記画像形成装置が登録されているか否かの認証を行う処理部と、
を有し、
前記画像形成装置は、
前記端末装置との間で通信を行う通信部と、
ユーザの入力操作を受け付ける操作部と、
前記端末装置から受信したユーザ情報に基づいて本人認証を行う認証処理部と、
を有し、
前記端末装置は、
前記処理部が前記画像形成装置の認証に成功すると、装着しているユーザに関するユーザ情報を前記画像形成装置に送信し、
前記画像形成装置は、
前記認証処理部が前記ユーザ情報に基づく本人認証に成功するとユーザの入力操作を可能とするログイン状態とし、
前記端末装置は、
前記検出部がログイン状態の前記画像形成装置の画像を検出できなくなると、前記画像形成装置にログアウト要求を送信し、
前記画像形成装置は、
前記ログアウト要求を受信すると、その時点におけるユーザによる入力操作の進行状態を記憶部に記憶するとともに、前記操作部におけるユーザの新たな入力操作を規制する入力規制状態に移行することを特徴とする認証処理システム。
【請求項３】
請求項２に記載の認証処理システムにおいて、
前記端末装置は、
前記画像形成装置から入力規制状態に移行した旨の通知を受けた後、入力規制状態の前記画像形成装置の画像を再び検出すると、前記ユーザ情報を前記画像形成装置に送信し、
前記画像形成装置は、
前記入力規制状態において、前記端末装置から前記ユーザ情報を受信すると、再び前記本人認証を行うことを特徴とする認証処理システム。
【請求項４】
請求項３に記載の認証処理システムにおいて、
前記画像形成装置は、
前記入力規制状態において、前記本人認証に成功すると、記憶部に記憶した入力操作の進行状態を復元し、前記ログアウト要求を受信した時点からの入力操作を継続して受け付けることを特徴とする認証処理システム。
【請求項５】
請求項２から請求項４のいずれか１項に記載の認証処理システムにおいて、
前記画像形成装置は、
前記入力規制状態に移行すると、前記端末装置に入力規制状態に移行した旨を通知し、
前記端末装置は、
前記入力規制状態に移行した旨の通知を受けると、表示部に入力規制状態である旨を表示することを特徴とする認証処理システム。
【請求項６】
請求項２から請求項５のいずれか１項に記載の認証処理システムにおいて、
前記画像形成装置は、
所定時間を超えてユーザの入力操作を検知しないログイン状態において、前記ログアウト要求を受信した場合、ユーザによる入力操作の進行状態を記憶部に記憶することなく、前記操作部におけるユーザの入力操作を規制するログアウト状態に移行することを特徴とする認証処理システム。
【請求項７】
請求項２から請求項６のいずれか１項に記載の認証処理システムにおいて、
前記画像形成装置は、
前記入力規制状態に移行すると、前記端末装置にログアウト状態に移行するまでの時間を通知し、
前記端末装置は、
前記画像形成装置から受信した前記ログアウト状態に移行するまでの時間を表示部に表示することを特徴とする認証処理システム。
【請求項８】
請求項２から請求項７のいずれか１項に記載の認証処理システムにおいて、
前記端末装置は、スマートグラスであり、
前記検出部は、撮像装置を有し、
前記端末装置は、装着者が視認可能な表示部を有することを特徴とする認証処理システム。
【請求項９】
ユーザの身体に装着可能な端末装置と、前記端末装置と通信可能な画像形成装置とを有する認証処理システムにおける認証処理方法であって、
前記端末装置は、
検出部が検出した前記画像形成装置の画像に基づいて前記画像形成装置が登録されているか否かの認証を行い、
前記認証に成功すると、装着しているユーザに関するユーザ情報を前記画像形成装置に送信し、
前記画像形成装置は、
前記端末装置から受信したユーザ情報に基づいて本人認証を行い、
前記本人認証に成功するとユーザの入力操作を可能とするログイン状態とし、
前記端末装置は、
前記検出部がログイン状態の前記画像形成装置の画像を検出できなくなると、前記画像形成装置にログアウト要求を送信し、
前記画像形成装置は、
前記ログアウト要求を受信すると、その時点におけるユーザによる入力操作の進行状態を記憶部に記憶するとともに、前記操作部におけるユーザの新たな入力操作を規制する入力規制状態に移行することを特徴とする認証処理方法。
【発明の詳細な説明】
【技術分野】
【０００１】
本発明は、認証機能を備えた画像形成装置、その画像形成装置と端末装置とを有する認証処理システムおよび認証処理方法に関する。
【背景技術】
【０００２】
従来の認証処理システムは、ウェアラブル端末を用いて、認証機能を備えた装置に対するログインおよびログアウトの制御を可能とし、ウェアラブル端末のログアウト用となる特定の移動状態が検出されてから一定の時間、移動状態情報を受信しない場合にログアウト処理を行うようにしている。また、直ぐにログアウトする場合、ユーザがウェアラブル端末を装置に対してかざし、振る等のユーザがログアウトを意識した操作を行うようにしている（例えば、特許文献１参照）。
【先行技術文献】
【特許文献】
【０００３】
【特許文献１】特開２０１８−４５６６６号公報
【発明の概要】
【発明が解決しようとする課題】
【０００４】
しかしながら、従来の技術においては、ユーザがウェアラブル端末を装置に対して直ぐにログアウトをするための操作を行わなかった場合、ウェアラブル端末のログアウト用となる特定の移動状態が検出されてから一定の時間が経過してログアウト処理が行われるまでの間は第三者が装置を利用できてしまうという問題がある。
本発明は、このような問題を解決することを課題とし、ユーザのログアウトを意識した操作を必要とすることなく、第三者による装置の使用を抑制することを目的とする。
【課題を解決するための手段】
【０００５】
そのため、本発明は、ユーザの身体に装着可能な端末装置と、前記端末装置と通信可能な画像形成装置とを有する認証処理システムであって、前記端末装置は、前記画像形成装置との間で通信を行う通信部と、前記画像形成装置の画像を検出する検出部と、前記検出部が検出した前記画像形成装置の画像に基づいて前記画像形成装置が登録されているか否かの認証を行う処理部と、を有し、前記画像形成装置は、前記端末装置との間で通信を行う通信部と、ユーザの入力操作を受け付ける操作部と、前記端末装置から受信したユーザ情報に基づいて本人認証を行う認証処理部と、を有し、前記端末装置は、前記処理部が前記画像形成装置の認証に成功すると、装着しているユーザに関するユーザ情報を前記画像形成装置に送信し、前記画像形成装置は、前記認証処理部が前記ユーザ情報に基づく本人認証に成功するとユーザの入力操作を可能とするログイン状態とし、前記端末装置は、前記検出部がログイン状態の前記画像形成装置の画像を検出できなくなると、前記画像形成装置にログアウト要求を送信し、前記画像形成装置は、前記ログアウト要求を受信すると、その時点におけるユーザによる入力操作の進行状態を記憶部に記憶するとともに、前記操作部におけるユーザの新たな入力操作を規制する入力規制状態に移行することを特徴とする。
【発明の効果】
【０００６】
このようにした本発明は、ユーザのログアウトを意識した操作を必要とすることなく、第三者による装置の使用を抑制することができるという効果が得られる。
【図面の簡単な説明】
【０００７】
【図１】実施例における認証処理システムの構成を示す説明図
【図２】実施例におけるスマートグラスの構成を示すブロック図
【図３】実施例における画像形成装置の構成を示すブロック図
【図４】実施例におけるログアウト処理の流れを示すフローチャート
【発明を実施するための形態】
【０００８】
以下、図面を参照して本発明による画像形成装置、認証処理システムおよび認証処理方法の実施例を説明する。
【実施例】
【０００９】
図１は実施例における実施例における認証処理システムの構成を示す説明図である。
図１において、認証処理システム１は、端末装置としてのスマートグラス１００と、画像形成装置２００とを有し、スマートグラス１００と画像形成装置２００とは無線ＬＡＮ（Ｌｏｃａｌ  Ａｒｅａ  Ｎｅｔｗｏｒｋ）や近距離無線通信（例えば、Ｂｌｕｅｔｏｏｔｈ（登録商標））等の無線通信回線２を介して通信可能に接続されたものである。
【００１０】
図２は実施例におけるスマートグラスの構成を示すブロック図である。
図２において、スマートグラス１００は、ユーザが眼鏡のように身に着けることが可能なウェアラブル端末であり、検出部１０１と、処理部１０２と、記憶部１０３と、通信制御部１０４と、表示部１０５とを有し、検出部１０１、処理部１０２、記憶部１０３、通信制御部１０４、および表示部１０５は内部バス１０６を介して接続されている。
【００１１】
このスマートグラス１００は、ＣＰＵ（Ｃｅｎｔｒａｌ  Ｐｒｏｃｅｓｓｉｎｇ  Ｕｎｉｔ）等の制御部を備え、メモリ等の記憶部１０３に格納された制御プログラム（ソフトウェア）に基づいて制御部により、全体の動作が制御される。
検出部１０１は、カメラ等の撮像装置を備え、撮像装置で撮影した画像を検出するものである。この検出部１０１は、スマートグラス１００を装着したときに、スマートグラス１００の視野と略同じ範囲の画像を検出できるようになっている。本実施例の検出部１０１は、図１に示す画像形成装置２００の画像を検出する。
【００１２】
処理部１０２は、検出部１０１から伝達された画像データ等のデータの制御および処理を行うものである。本実施例の処理部１０２は、検出部１０１が検出した画像形成装置の画像に基づいて当該画像形成装置が記憶部１０３に登録されているか否かの認証を行う。
記憶部１０３は、メモリ等の記憶手段であり、認証データ等の各種情報を記憶するものである。
【００１３】
ここで、記憶部１０３に記憶される認証データについて説明する。
記憶部１０３に記憶される認証データは、画像形成装置２００の画像データ、装置識別情報、ＩＰ（Ｉｎｔｅｒｎｅｔ  Ｐｒｏｔｏｃｏｌ）アドレス、ログインユーザ名、およびパスワード等を含むものである。
【００１４】
認証データにおける画像形成装置２００の画像データは、スマートグラス１００に予め登録された画像形成装置２００の画像データである。
装置識別情報は、スマートグラス１００に予め登録された画像形成装置２００を識別するための識別情報であり、例えば装置名称、シリアル番号等である。
【００１５】
ＩＰアドレスは、スマートグラス１００に予め登録された画像形成装置２００の通信アドレスであり、本実施例ではＴＣＰ／ＩＰにおけるＩＰアドレスとする。
ログインユーザ名は、スマートグラス１００を装着するユーザの識別情報であり、スマートグラス１００に予め登録されたものである。
【００１６】
パスワードは、画像形成装置２００にログインするための認証処理に使用される情報であり、スマートグラス１００に予め登録されたものである。
このように構成された認証データは、画像形成装置２００の画像データに関連付けて装置識別情報、ＩＰアドレス、ログインユーザ名、およびパスワード等が記憶部１０３に記憶される。
【００１７】
したがって、検出部１０１で検出された画像形成装置２００の画像データに基づいて認証データを検索することにより、当該画像形成装置２００と通信を行うときに必要になる装置識別情報、およびＩＰアドレスを抽出することができ、また当該画像形成装置２００にログインするときに必要になるログインユーザ名、およびパスワード等を抽出することができるようになっている。
【００１８】
ここで、ログインとは、ログインユーザ名およびパスワード等の本人認証情報に基づいて本人認証に成功したユーザの画像形成装置２００の使用が許可された状態であることをいう。ユーザが画像形成装置２００にログインすると、画像形成装置２００の操作表示制御部２０４は、パネルにおける表示やログインしたユーザの入力操作の受付けを行う。
【００１９】
通信部としての通信制御部１０４は、図１に示す無線通信回線２を介して画像形成装置２００との間で行う通信の制御を行うものである。通信制御部１０４は、記憶部１０３に記憶された認証データの装置識別情報やＩＰアドレスに基づいて画像形成装置２００との間で通信を行う。
【００２０】
表示部１０５は、スマートグラス１００を装着したユーザ（装着者）が視認可能なディスプレイ、即ちスマートグラス１００の視野におけるユーザの眼球側であるスマートグラス１００の内側に表示面が配置されたディスプレイ等を有し、そのディスプレイ等に各種情報を表示する制御を行うものである。
【００２１】
図３は実施例における画像形成装置の構成を示すブロック図である。
図３において、画像形成装置２００は、例えばプリンタ等であり、通信制御部２０１と、認証処理部２０２と、記憶部２０３と、操作表示制御部２０４とを有し、通信制御部２０１、認証処理部２０２、記憶部２０３、および操作表示制御部２０４は内部バス２０５を介して接続されている。
【００２２】
この画像形成装置２００は、ＣＰＵ等の制御部を備え、メモリ等の記憶部２０３に格納された制御プログラム（ソフトウェア）に基づいて制御部により、全体の動作が制御される。
通信部としての通信制御部２０１は、図１に示す無線通信回線２を介してスマートグラス１００との間で行う通信の制御を行うものである。
【００２３】
認証処理部２０２は、外部から入力されたユーザ情報に基づいて本人認証を行うものである。本実施例の認証処理部２０２は、例えば通信制御部２０１から伝達されたユーザ情報としての本人認証データ等に基づいて本人認証処理を行う。認証処理部２０２は、通信制御部２０１を介して図１に示すスマートグラス１００から受信した認証データの本人認証データ（例えば、ログインユーザ名およびパスワード）と、記憶部２０３に記憶された本人認証データ（例えば、ログインユーザ名およびパスワード）とを照合して一致した場合にユーザのログインを許可（不一致の場合はログインを拒否）する認証処理としての本人認証処理を行う。
【００２４】
認証処理部２０２においてユーザによるログインが許可されると、当該ユーザは画像形成装置２００を使用することが可能になり、一方ユーザによるログインが拒否されると、当該ユーザは画像形成装置２００を使用することが不可能になる。
記憶部２０３は、メモリ等の記憶手段であり、本人認証データ等を記憶するものである。
【００２５】
操作部としての操作表示制御部２０４は、出力（表示）手段としてのディスプレイおよび入力手段としてのタッチパネル等を備えたパネルに各種情報を表示する制御およびパネルでユーザによる入力操作を受け付ける制御を行うものである。この操作表示制御部２０４は、認証処理部２０２からの認証処理結果に従って、パネルの表示および入力検知を制御する。
【００２６】
例えば、操作表示制御部２０４は、認証処理部２０２において認証（本人認証）に成功した場合は、パネルのロックを解除してパネルの表示および入力操作の検知を可能としたログイン状態として非ロック状態であることを表示する。一方、操作表示制御部２０４は、認証処理部２０２において認証（本人認証）に失敗した場合は、パネルをロックしてパネルの表示および入力操作の検知を不可能としたログアウト状態としてロック状態であることを表示する。
【００２７】
ここで、パネルのロックとは、画像形成装置２００に対する動作や処理を指示するためのパネルにおける表示や入力操作の受付けは行わないことをいう。ただし、パネルをロックした状態であってもユーザによるログインの入力操作は受け付けるものとする。
【００２８】
次に、認証処理システムの動作の概要を図１、図２、および図３に基づいて説明する。
認証処理システム１において、スマートグラス１００を装着したユーザが画像形成装置２００を使用するために画像形成装置２００に接近するものとする。
スマートグラス１００の検出部１０１が画像形成装置２００の画像を検出すると、検出部１０１は検出した画像形成装置２００の画像データを処理部１０２に伝達する。
【００２９】
処理部１０２は、伝達された画像データの解析を行い、記憶部１０３に予め記憶されている認証データにおける画像形成装置２００の画像データを読み出し、画像形成装置２００の画像データと認証データにおける画像形成装置２００の画像データとの照合処理を行う。
【００３０】
処理部１０２は、照合処理、即ち画像形成装置２００の認証に成功すると、通信制御部１０４による画像形成装置２００の通信制御部２０１との通信制御により、記憶部１０３に予め記憶されている認証データにおけるログインユーザ名およびパスワードを画像形成装置２００に送信する。
【００３１】
なお、処理部１０２は、照合処理に失敗した場合も、通信制御部１０４による画像形成装置２００の通信制御部２０１との通信制御により、記憶部１０３に予め記憶されている認証データにおけるログインユーザ名およびパスワードを画像形成装置２００に送信するものとする。
【００３２】
画像形成装置２００は、通信制御部２０１による通信制御により、スマートグラス１００の通信制御部１０４から送信されたログインユーザ名およびパスワードを受信する。画像形成装置２００の認証処理部２０２は、スマートグラス１００から受信したログインユーザ名およびパスワードの解析を行う。
【００３３】
画像形成装置２００の認証処理部２０２は、記憶部２０３に予め記憶されている認証データを読み出し、読み出した認証データにおけるログインユーザ名およびパスワードと、スマートグラス１００から受信したログインユーザ名およびパスワードとを照合する照合処理、即ち本人認証処理を行う。
【００３４】
認証処理部２０２は、照合処理に成功すると、操作表示制御部２０４にパネル表示のロック解除、即ち当該ユーザのログインの許可を行うことを指示する。操作表示制御部２０４はパネル表示のロックを解除し（これにより当該ユーザの入力操作が許可された状態になる）、画像形成装置２００はスマートグラス１００を装着した当該ユーザがログインしたログイン状態となる。
さらに、認証処理部２０２は、通信制御部２０１に照合処理に成功、即ち認証に成功した旨の認証結果を伝達し、通信制御部２０１はスマートグラス１００の通信制御部１０４に認証結果を送信する。
【００３５】
スマートグラス１００の通信制御部１０４は、受信した認証結果を処理部１０２に伝達し、処理部１０２はその認証結果を表示部１０５に伝達する。表示部１０５は、スマートグラス１００の内側のディスプレイに認証結果（成功）を表示する。
なお、認証処理部２０２は、照合処理に失敗すると、通信制御部２０１に照合処理に失敗、即ち認証に失敗した旨の認証結果を伝達し、通信制御部２０１はスマートグラス１００の通信制御部１０４に認証結果を送信する。
【００３６】
スマートグラス１００の通信制御部１０４は、受信した認証結果を処理部１０２に伝達し、処理部１０２はその認証結果を表示部１０５に伝達する。表示部１０５は、スマートグラス１００の内側のディスプレイに認証結果（失敗）を表示する。
なお、スマートグラス１００は、認証に成功した後も、検出部１０１による画像形成装置２００の画像の検出を継続して行い、画像形成装置２００との相互の通信を継続している。
【００３７】
一方、スマートグラス１００を装着しているユーザが、画像形成装置２００から視線を逸らす、または離れると、スマートグラス１００の検出部１０１は、画像形成装置２００の画像を検出しない未検出状態となる。
【００３８】
処理部１０２は、検出部１０１から画像形成装置２００の画像を検出していない画像データを解析し、ログアウト要求を通信制御部１０４に伝達し、画像形成装置２００に送信する。
画像形成装置２００の通信制御部２０１は、スマートグラス１００から送信されたログアウト要求を受信し、認証処理部２０２は、通信制御部２０１で受信した認証データを解析する。
【００３９】
画像形成装置２００の操作表示制御部２０４は、ユーザの入力操作が行われていない時間の計測を開始（タイマーの開始）しており、通信制御部２０１でログアウト要求を受信すると、操作表示制御部２０４におけるユーザの新たな入力操作を規制する入力規制状態としての仮ログアウト状態とし、この仮ログアウト状態において所定の時間を経過してもユーザの入力操作を検知しなかった場合、ログインしていたユーザがログアウトしたと判断する。
【００４０】
ここで、仮ログアウトとは、画像形成装置２００の操作表示制御部２０４がパネルにおける表示やすべてのユーザによる入力操作の受付けを一旦停止し、仮ログアウト状態に移行する直前にログインしていたユーザに対するパネルの表示やログインしていたユーザが行った操作入力の状態の情報を記憶部２０３に記憶して保持している状態であり、再び該ユーザがログインしたときに記憶部２０３に保持したパネルの表示や操作入力の状態を復元できることをいう。
【００４１】
また、ログアウトとは、画像形成装置２００の操作表示制御部２０４がパネルにおける表示や入力操作の受付けを停止するとともに、パネルの表示や操作入力の状態の情報を記憶部２０３から消去して、ログインしていたユーザを含め、すべてのユーザによる画像形成装置２００の使用を禁止することをいう。ただし、ログアウトした状態であってもユーザによるログインのためのユーザ情報の入力操作は受け付ける。
【００４２】
画像形成装置２００は、操作表示制御部２０４によりユーザがログアウトしたと判断すると、操作表示制御部２０４にパネル表示のロックを要求し、操作表示制御部２０４はパネル表示をロックする。
なお、画像形成装置２００は、仮ログアウト状態では、仮ログアウト状態になるまでに操作された状態や変更された設定を記憶部２０３に一時的に保持する。
【００４３】
画像形成装置２００は、仮ログアウト状態またはログアウト状態になったと判断すると、通信制御部２０１により、仮ログアウト状態またはログアウト状態になった旨をスマートグラス１００に通知する。
【００４４】
スマートグラス１００の通信制御部１０４は、仮ログアウト状態になった旨の通知を受信すると、その通知を処理部１０２に伝達する。
【００４５】
処理部１０２は仮ログアウト状態になった旨の通知を表示部１０５に伝達し、表示部１０５はスマートグラス１００の内側のディスプレイに仮ログアウト状態であることを表示する。このとき、表示部１０５は、ログアウトするまでの時間、即ち画像形成装置２００の操作表示制御部２０４がユーザの入力操作が行われていない時間の計測を開始してからログアウトしたと判断するまでの残り時間をタイマーの残時間として表示する。
一方、スマートグラス１００の通信制御部１０４は、ログアウト状態になった旨の通知を受信すると、その通知を処理部１０２に伝達する。
【００４６】
処理部１０２はログアウト状態になった旨の通知を表示部１０５に伝達し、表示部１０５はスマートグラス１００の内側のディスプレイに表示していたタイマーの残時間を含む仮ログアウト状態の表示を消去する。
【００４７】
仮ログアウトの状態において、即ち表示部１０５がスマートグラス１００の内側のディスプレイに仮ログアウト状態であることを表示しているときは、再び仮ログアウト中である画像形成装置２００をスマートグラス１００の検出部１０１で検出すると、上述した認証処理を行う。
【００４８】
この認証処理に成功してログインした場合、画像形成装置２００は仮ログアウトの状態になる直前に操作した状態や変更した状態に復帰する。
なお、仮ログアウトの状態においても、画像形成装置２００の操作表示制御部２０４は、ユーザの入力操作が行われていない時間の計測を継続しており、所定の時間が経過しても本認証された（ログインしていた）スマートグラス１００から再び認証データを受信しなかった場合、仮ログアウトの状態からログアウトの状態に移行する。
【００４９】
このように、本実施例の認証処理システム１において、スマートグラス１００は、処理部１０２が画像形成装置２００の認証に成功すると、装着しているユーザに関するユーザ情報を当該画像形成装置２００に送信し、画像形成装置２００は、認証処理部２０２がスマートグラス１００から入力されたユーザ情報に基づく本人認証に成功するとユーザの入力操作を可能とするログイン状態とする。
【００５０】
スマートグラス１００は、検出部１０１がログイン状態の画像形成装置２００の画像を検出できなくなると、当該画像形成装置２００にログアウト要求を送信し、画像形成装置２００は、ログアウト要求を受信すると、その時点におけるユーザによる入力操作の進行状態を記憶部２０３に記憶するとともに、操作表示制御部２０４におけるユーザの新たな入力操作を規制する入力規制状態（仮ログアウト状態）に移行する。
【００５１】
上述した構成の作用について説明する。
【００５２】
認証処理システムが行うログアウト処理を図４の実施例におけるログアウト処理の流れを示すフローチャートの図中Ｓで表すステップに従って図１、図２、および図３を参照しながら説明する。
【００５３】
Ｓ１０１：認証処理システム１のスマートグラス１００は所定のユーザに装着され、スマートグラス１００の検出部１０１は撮像装置で撮影した画像を検出するものとし、ユーザが認証機能を備えた画像形成装置２００に接近すると、検出部１０１は画像形成装置２００の画像を検出し、処理をＳ１０２へ移行する。
【００５４】
Ｓ１０２：スマートグラス１００の検出部１０１は、画像形成装置２００の画像を検出すると、処理部１０２に画像データを伝達する。処理部１０２は、伝達された画像データを解析する。
【００５５】
Ｓ１０３：スマートグラス１００の処理部１０２は、記憶部１０３から認証データ１０３ａを読み出す。この認証データ１０３ａは、画像形成装置２００の画像データ、画像形成装置２００の装置識別情報、画像形成装置２００のＩＰアドレス、ログインユーザ名、およびパスワード等の装置情報が蓄積されたものである。また、認証データ１０３ａは、単一機種でなく複数機種の画像形成装置２００の装置情報が蓄積されている。
【００５６】
Ｓ１０４：スマートグラス１００の処理部１０２は、検出部１０１で検出した画像形成装置２００の画像データと、認証データ１０３ａに含まれる画像データとの照合を行う。
【００５７】
Ｓ１０５：スマートグラス１００の処理部１０２は、通信制御部１０４により、画像形成装置２００と通信を行い、照合結果を画像形成装置２００に送信する。
【００５８】
処理部１０２は、照合に成功した場合、照合に成功した認証データ（画像形成装置２００の画像データ、画像形成装置２００の装置識別情報、画像形成装置２００のＩＰアドレス、ログインユーザ名、およびパスワード等）および照合結果をスマートグラス１００で検出した画像形成装置２００に送信する。このとき、通信制御部１０４は、近距離無線通信または無線ＬＡＮ等の通信回線２を介して画像形成装置２００に送信する。
【００５９】
また、処理部１０２は、照合に失敗した場合、スマートグラス１００の記憶部１０３に記憶されている認証データのログインユーザ名および照合結果をスマートグラス１００で検出した画像形成装置２００に送信する。このとき、通信制御部１０４は、近距離無線通信等の通信回線２を介して画像形成装置２００に送信するものとする。
【００６０】
Ｓ２０１：一方、画像形成装置２００の通信制御部２０１は、スマートグラス１００から送信された認証データおよび照合結果等の情報を受信すると、認証処理部２０２にその情報を伝達する。
【００６１】
Ｓ２０２：画像形成装置２００の認証処理部２０２は、記憶部２０３に予め記憶されている認証データ２０３ａを読み出す。この認証データ２０３ａは、画像形成装置２００の画像データ、画像形成装置２００の装置識別情報、画像形成装置２００のＩＰアドレス、ログインユーザ名、およびパスワード等の装置情報が蓄積されたものである。また、認証データ２０３ａは、単一機種でなく複数機種の画像形成装置２００の装置情報が蓄積されている。
【００６２】
Ｓ２０３：画像形成装置２００の認証処理部２０２は、スマートグラス１００から受信した認証データのログインユーザ名、およびパスワードと、記憶部２０３から読み出した認証データ２０３ａのログインユーザ名、およびパスワードとを照合する照合処理、即ち認証処理を行う。
【００６３】
Ｓ２０４：画像形成装置２００の認証処理部２０２は、通信制御部２０１に照合処理の結果、即ち認証の認証結果を伝達し、通信制御部２０１はスマートグラス１００の通信制御部１０４に認証結果（成功または失敗）を送信する。
【００６４】
Ｓ２０５：画像形成装置２００の認証処理部２０２は、認証結果の成否を判定し、認証結果が成功であると判定すると処理をＳ２０６へ移行し、認証結果が失敗であると判定すると本処理を終了する。
【００６５】
Ｓ２０６：画像形成装置２００の認証処理部２０２は、認証結果が成功であると判定すると、操作表示制御部２０４にパネル表示のロック解除、即ち当該ユーザのログインの許可を行うことを指示する。操作表示制御部２０４はパネル表示のロックを解除し（これにより当該ユーザのログインが許可された状態になる）、画像形成装置２００はスマートグラス１００を装着した当該ユーザがログインした状態となる。
【００６６】
Ｓ２０７：画像形成装置２００の操作表示制御部２０４は、ログアウトタイマーを起動し、ユーザの入力操作が行われていない時間の計測を開始する。なお、このログアウトタイマーは、ユーザがパネルで入力操作を行うとリセットされ、再びユーザの入力操作が行われなくなるとリスタートすることを繰り返す。また、ログアウトタイマーは、ユーザの入力操作が行われていない時間が所定時間経過すると停止する。
【００６７】
Ｓ１０６：一方、スマートグラス１００の通信制御部１０４は、受信した認証結果を処理部１０２に伝達し、処理部１０２は、認証結果の成否を判定し、認証結果が成功であると判定すると処理をＳ１０８へ移行し、認証結果が失敗であると判定すると処理をＳ１０７に移行する。
【００６８】
Ｓ１０７：スマートグラス１００の処理部１０２は、認証結果が失敗であると判定すると、その認証結果を表示部１０５に伝達する。表示部１０５は、スマートグラス１００の内側のディスプレイに認証結果（失敗）を一定時間（例えば、１０秒）、表示し、本処理を終了する。
【００６９】
Ｓ１０８：スマートグラス１００の処理部１０２は、認証結果が成功であると判定すると、その認証結果を表示部１０５に伝達する。表示部１０５は、スマートグラス１００の内側のディスプレイに認証結果（成功）を一定時間（例えば、１０秒）、表示する。
スマートグラス１００を装着したユーザは、認証した画像形成装置２００においてパネル操作等を行うものとするが、この間もスマートグラス１００の検出部１０１は、画像形成装置２００の画像を検出する。
【００７０】
Ｓ１０９：スマートグラス１００の検出部１０１は、認証した画像形成装置２００の画像の検出を継続し、画像形成装置２００の画像データを処理部１０２へ伝達する。処理部１０２は、画像形成装置２００の画像データの解析を継続して行う。
【００７１】
Ｓ１１０：スマートグラス１００の処理部１０２は、認証した画像形成装置２００の画像を検出しているか否かを判定し、検出していると判定すると処理をＳ１０９へ戻して認証した画像形成装置２００の画像の検出を継続し、検出しなくなったと判定すると処理をＳ１１１へ移行する。
【００７２】
スマートグラス１００を装着したユーザが、認証した画像形成装置２００から視線を逸らす、または認証した画像形成装置２００から離れることでスマートグラス１００が検出する画像形成装置２００の画像は小さくなり、やがて消えて検出部１０１で検出できなくなる。
このように、処理部１０２は、認証した画像形成装置２００の画像を検出できなくなると、処理をＳ１１１へ移行する。
【００７３】
Ｓ１１１：処理部１０２は、認証した画像形成装置２００の画像を検出できなくなると、ログアウト要求を通信制御部１０４に伝達し、認証した画像形成装置２００に送信する。なお、処理部１０２は、ログアウト要求とともに、認証データを画像形成装置２００に送信するようにしても良い。
【００７４】
Ｓ２０８：一方、画像形成装置２００の通信制御部２０１は、スマートグラス１００から送信されたログアウト要求を受信すると、処理をＳ２０９へ移行する。なお、認証処理部２０２は、通信制御部２０１で認証データを受信した場合、受信した認証データを解析する。
【００７５】
Ｓ２０９：画像形成装置２００の操作表示制御部２０４は、通信制御部２０１でログアウト要求を受信すると、ログアウトタイマーが停止しているか否かを判定し、ログアウトタイマーが停止している、即ち所定の時間を経過してもユーザの入力操作を検知しなかった場合、ログインしていたユーザがログアウトしたと判断し、処理をＳ２１０へ移行する。一方、操作表示制御部２０４は、ログアウトタイマーが継続していると判定すると、仮ログアウト状態とし、処理をＳ２１１へ移行する。
【００７６】
ここで、画像形成装置２００は、仮ログアウト状態またはログアウト状態になったと判断すると、通信制御部２０１により、仮ログアウト状態またはログアウト状態になった旨をスマートグラス１００に通知する。
なお、ログアウトタイマーが停止している状態でログアウト要求を受信するのは、ユーザがログアウトすることを忘れて画像形成装置２００から離れた場合が想定されるため、ログアウト要求を受信すると直ちにログインしていたユーザがログアウトしたと判断するようにしている。
【００７７】
Ｓ２１０：画像形成装置２００は、操作表示制御部２０４によりユーザがログアウトしたと判断すると、操作表示制御部２０４にパネル表示のロックを要求し、操作表示制御部２０４はパネル表示をロックし、本処理を終了する。
【００７８】
このように、画像形成装置２００は、所定時間を超えてユーザの入力操作を検知しないログイン状態において、スマートグラス１００からログアウト要求を受信した場合、ユーザによる入力操作の進行状態を記憶部２０３に記憶することなく、操作表示制御部２０４におけるユーザの入力操作を規制するログアウト状態に移行する。
【００７９】
Ｓ１１２：一方、スマートグラス１００の通信制御部１０４は、ログアウト状態または仮ログアウト状態になった旨の通知を受信すると、その通知を処理部１０２に伝達する。
【００８０】
処理部１０２はログアウト状態になった旨の通知を受信したか否かを判定し、ログアウト状態になった旨の通知を受信したと判定すると、本処理を終了する。なお、表示部１０５はタイマーの残時間は表示しない。
処理部１０２は、仮ログアウト状態になった旨の通知を受信したと判定すると、処理をＳ１１３へ移行する。
【００８１】
Ｓ２１１：Ｓ２０９において、画像形成装置２００の操作表示制御部２０４は、ログアウトタイマーが継続している仮ログアウト状態であると判定すると、パネルを仮ロックし、仮ログアウト状態であること表示する。このとき、画像形成装置２００は、仮ログアウト状態になるまでに操作された状態や変更された設定は、記憶部２０３に一時的に保持する。
【００８２】
ここで、パネルの仮ロックとは、パネルにおける表示や入力操作の受付けは行わないが、仮ログアウト状態に移行する直前のパネルの表示や操作入力の状態を記憶部２０３に記憶して保持している状態であり、ログイン状態に復帰したとき記憶部２０３に保持したパネルの表示や操作入力の状態を復元できる状態のことである。
【００８３】
これにより、ユーザはスマートグラス１００の視野からログインしている画像形成装置２００を一旦外し、再度ログインしている画像形成装置２００をスマートグラス１００の視野に入れた場合、操作をメニュー画面等の初期画面からやり直す必要がなくなり、ユーザの操作負担を軽減させることができる。
【００８４】
Ｓ２１２：画像形成装置２００の操作表示制御部２０４は、通信制御部２０１により、仮ログアウト状態である旨およびログアウトタイマーの残時間（ログアウト状態に移行するまでの時間）をスマートグラス１００に送信する。
【００８５】
Ｓ１１３：一方、スマートグラス１００の通信制御部１０４は、仮ログアウト状態である旨およびログアウトタイマーの残時間の通知を受信すると、その通知を処理部１０２に伝達する。
【００８６】
処理部１０２は、仮ログアウト状態である旨およびログアウトタイマーの残時間を表示部１０５に伝達し、表示部１０５はスマートグラス１００の内側のディスプレイに、仮ログアウト状態であることを表す「ログアウト中」とログアウトタイマー残時間（ログアウト状態に移行するまでの時間）を表示する。
なお、ログアウトタイマー残時間は、ログアウト状態になると表示されない。
【００８７】
Ｓ１１４：スマートグラス１００の検出部１０１は、画像形成装置２００の画像を検出し、処理部１０２に画像データを伝達する。処理部１０２は、伝達された画像データを解析する。
【００８８】
Ｓ１１５：処理部１０２は、画像データを解析した結果、画像データが認証した画像形成装置２００の画像と一致し、認証した画像形成装置２００の画像が有ると判定すると処理をＳ１１６へ移行し、一方、認証した画像形成装置２００の画像が無いと判定すると処理をＳ１１４へ戻して画像形成装置２００の画像検出を継続して行う。
【００８９】
Ｓ１１６：処理部１０２は、認証した画像形成装置２００の画像が有ると判定すると、通信制御部１０４により、画像形成装置２００と通信を行い、認証データ（画像形成装置２００の画像データ、画像形成装置２００の装置識別情報、画像形成装置２００のＩＰアドレス、ログインユーザ名、およびパスワード等）および照合結果を画像形成装置２００に送信し、処理をＳ１０９へ移行して画像形成装置２００の画像の検出を継続して行う。
【００９０】
Ｓ２１３：一方、画像形成装置２００は、通信制御部２０１により、スマートグラス１００から送信された認証データ（画像形成装置２００の画像データ、画像形成装置２００の装置識別情報、画像形成装置２００のＩＰアドレス、ログインユーザ名、およびパスワード等）および照合結果を受信したか否かを判定し、受信したと判定すると、処理をＳ２０２へ戻し、スマートグラス１００と画像形成装置２００との認証処理を再び行い、受信していないと判定すると、処理をＳ２０９へ戻し、ログアウトタイマーが停止するまで画像データの受信の監視を継続して行う。
【００９１】
ここで、画像形成装置２００が再び認証処理を行い、ユーザが再ログインした場合、パネルはメニュー画面等の初期状態ではなく、仮ログアウトの状態になる直前に操作した状態や変更した状態に復帰する。
【００９２】
このように、スマートグラス１００は、画像形成装置２００から仮ログアウト状態に移行した旨の通知を受けた後、仮ログアウト状態の画像形成装置２００の画像を再び検出すると、ユーザ情報を当該画像形成装置２００に送信し、画像形成装置２００は、仮ログアウト状態において、スマートグラス１００からユーザ情報を受信すると、再び本人認証を行う。
【００９３】
また、画像形成装置２００は、仮ログアウト状態において、本人認証に成功すると、記憶部２０３に記憶した入力操作の進行状態を復元し、ログアウト要求を受信した時点からの入力操作を継続して受け付ける。
【００９４】
なお、ログアウトタイマーが停止するまで画像データを受信しなかった場合、Ｓ２０９においてログアウトタイマーが停止したと判定されてＳ２１０のログアウト処理が行われ、本処理を終了する。即ち、画像形成装置２００は、操作表示制御部２０４にパネル表示のロックを要求し、操作表示制御部２０４はパネル表示をロックする。
【００９５】
また、Ｓ２０９において、画像形成装置２００は、ログアウトタイマーが停止しており、ログアウト状態になったと判断すると、通信制御部２０１により、ログアウト状態になった旨をスマートグラス１００に通知する。Ｓ１１２において、スマートグラス１００は、ログアウト状態になった旨の通知を受信したと判定すると、本処理を終了する。なお、表示部１０５はタイマーの残時間を消去する。
【００９６】
さらに、画像形成装置２００が再認証処理で認証に失敗すると、Ｓ２０４において認証処理部２０２は、通信制御部２０１に照合処理の結果、即ち認証の認証結果を伝達し、通信制御部２０１はスマートグラス１００の通信制御部１０４に認証結果（失敗）を送信し、本処理を終了する。スマートグラス１００の処理部１０２は、Ｓ１０６において認証結果が失敗であると判定すると、その認証結果を表示部１０５に伝達する。表示部１０５は、スマートグラス１００の内側のディスプレイに認証結果（失敗）を一定時間（例えば、１０秒）、表示し、本処理を終了する。
【００９７】
このように、本実施例の認証処理システム１において、スマートグラス１００は、検出部１０１がログイン状態の画像形成装置２００の画像を検出できなくなると、当該画像形成装置２００にログアウト要求を送信し、画像形成装置２００は、ログアウト要求を受信すると、その時点におけるユーザによる入力操作の進行状態を記憶部２０３に記憶するとともに、操作表示制御部２０４におけるユーザの新たな入力操作を規制する入力規制状態に移行するようにしたことにより、ユーザのログアウトを意識した操作を必要とすることなく、第三者による装置の使用を抑制することができる。
【００９８】
また、ユーザのログアウトを意識した操作を必要とすることなく、画像形成装置２００をログアウト状態にすることができる。
さらに、ユーザがログアウトを意識した操作を失念して行わない場合であっても、ユーザがログイン状態の画像形成装置２００から離れたときからログアウトするまでの時間をなくすことができ、第三者が画像形成装置２００をそのまま利用するというセキュリティ上のリスクを抑制することができる。
【００９９】
なお、本実施例では、Ｓ２０３において、画像形成装置２００が、スマートグラス１００から受信したログインユーザ名およびパスワードと、記憶部２０３から読み出した認証データ２０３ａのログインユーザ名およびパスワードとを照合してログインするものとして説明したが、スマートグラス１００から受信したログインユーザ名と記憶部２０３から読み出した認証データ２０３ａのログインユーザ名とを照合し、操作表示制御部２０４が入力したパスワードと記憶部２０３から読み出した認証データ２０３ａのパスワードとを照合してログインするようにしても良い。
【０１００】
また、画像形成装置２００が、パスワードを照合することなく、スマートグラス１００から受信したログインユーザ名と、記憶部２０３から読み出した認証データ２０３ａのログインユーザ名とを照合してログインするようにしても良い。
【０１０１】
以上説明したように、本実施例では、ユーザのログアウトを意識した操作を必要とすることなく、第三者による装置の使用を抑制することができるという効果が得られる。
【０１０２】
ユーザのログアウトを意識した操作を必要とすることなく、画像形成装置をログアウト状態にすることができるという効果が得られる。
さらに、ユーザがログアウトを意識した操作を失念して行わない場合であっても、ユーザがログイン状態の画像形成装置から離れたときからログアウトするまでの時間をなくすことができ、第三者が画像形成装置をそのまま利用するというセキュリティ上のリスクを抑制することができるという効果が得られる。
【０１０３】
なお、本実施例では、画像形成装置をプリンタとして説明したが、それに限られることなく、複写機、ファクシミリ装置、複合機（ＭＦＰ）等としても良い。
【符号の説明】
【０１０４】
１  認証処理システム
２  無線通信回線
１００  スマートグラス
１０１  検出部
１０２  処理部
１０３  記憶部
１０４  通信制御部
１０５  表示部
２００  画像形成装置
２０１  通信制御部
２０２  認証処理部
２０３  記憶部
２０４  操作表示制御部
【図１】
2020191608.tif 000003
【図２】
2020191608.tif 000004
【図３】
2020191608.tif 000005
【図４】
2020191608.tif 000006